(57)【要約】      （修正有）【課題】検出器の停止や分解をすることなく、検査中に検出台上に形成されるほこりを除去することができ、正常検査率を高めることができる金属表面洗浄用の特殊洗浄具を提供する。【解決手段】表面部２０と、接着部３０と、支持部４０とから成る金属表面洗浄用の特殊洗浄具１０であり、接着部は表面部と支持部の間に介設される。金属表面洗浄用の特殊洗浄具は検出器に取り付けられ、表面部により、担持体４０’上に載置された被検出物の検査中に、検出器の検出台６０上に形成されるほこり７０を除去する。さらに、異常電気抵抗、異常容量、異常インダクタンスを除去して、欠陥商品を生じる誤検出を低減し、正常検査率を高める。さらに、使用者は、ほこりを洗浄するために、検出器の分解に要する時間が不要となり、検出器を休止させる時間の浪費を減じることができる。【選択図】図３Ａ
0003203131.tif 000002
【実用新案登録請求の範囲】
【請求項１】
表面部と、接着部と、支持部とを具備し、前記接着部は、前記表面部と前記支持部の間に介設される特殊洗浄具であることを特徴とする、金属表面洗浄用の特殊洗浄具。
【請求項２】
前記特殊洗浄具は、屈曲性を有する把持部を更に有し、前記把持部は、特殊洗浄具の支持部の中央に配設されることを特徴とする、請求項1に記載の金属表面洗浄用の特殊洗浄具。
【請求項３】
前記表面部は、ポリエチレンテレフタレート（ＰＥＴ）膜上に形成される、樹脂と、研磨材と、発泡ポリエチレンとの混合物からなることを特徴とする、請求項1に記載の金属表面洗浄用の特殊洗浄具。
【請求項４】
前記特殊洗浄具の寸法は、前記特殊洗浄具に連結される前記担持体の寸法に対応した寸法に裁断されることを特徴とする、請求項1に記載の金属表面洗浄用の特殊洗浄具。
【請求項５】
前記支持部は、金属から成ることを特徴とする、請求項1に記載の金属表面洗浄用の特殊洗浄具。
【請求項６】
前記支持部は、プラスチックから成ることを特徴とする、請求項1に記載の金属表面洗浄用の特殊洗浄具。
【請求項７】
前記支持部は、陶器からなることを特徴とする、請求項1に記載の金属表面洗浄用の特殊洗浄具。
【考案の詳細な説明】
【技術分野】
【０００１】
本考案は、特殊洗浄具、特に、検査中における検出器の検査台上に形成されるほこりを除去するため、金属表面を洗浄するために用いられる特殊洗浄具に関する。
【背景技術】
【０００２】
図４Ａ及び図４Ｂは、担持体４０’上に載置される被検出物を示しており、同被検出物は、検出器の検出台６０上に設けた金属検出器によって検査される。所定量の被検出物が検査されると、検出器の検査台６０上にほこり７０が形成され、金属検出器に接続される被検出物の表面に、異常電気抵抗、異常容量又は異常インダクタンスを生じる。異常電気抵抗、異常容量又は異常インダクタンスは、検査の質に悪影響を与え、誤検出を生じ、その結果、欠陥製品を生じることになる。従って、そのような誤検出を避けるため、再度検査を行う必要がある。
【０００３】
ほこり７０を除去するためには、検出器又は検出装置を停止しなければならず、かつ、使用者は、ほこりを洗浄して除去するために、複雑な構造を有する検出器又は検出装置の分解に多大な時間を要する。このような作業は、被検出物の検査を阻害し、かつ、いったん検出器又は検出装置を停止すると、被検出物の検査に要する費用を増加することになる。
【先行技術文献】
【特許文献】
【０００４】
【特許文献１】特表２００９−５０７１１３号公報
【考案の概要】
【０００５】
本考案は、上記した問題を解決するためなされたものであり、上記した問題を低減又は避けることができる金属表面洗浄用の特殊洗浄具を提供することを目的とする。
本考案に係る金属表面洗浄用の特殊洗浄具は、表面部と、接着部と、支持部とを具備し、接着部は、表面部と支持部との間に介設される。
好ましくは、特殊洗浄具は、さらに、特殊洗浄具の中央部に配設される屈曲性を有する把持部を具備する。
好ましくは、表面部は、ポリエチレンテレフタレート（ＰＥＴ）膜上に形成される、樹脂と、研磨材と、発泡ポリエチレンとの混合物からなる。
好ましくは、特殊洗浄具の寸法は、特殊洗浄具に連結される担持体の寸法に対応した寸法に裁断される。
検出器又は検出装置に、本考案に係る金属表面洗浄用の特殊洗浄具を取り付けることによって、金属表面洗浄用の特殊洗浄具は、検査中に検出器の検出台上に形成されるほこりを除去することができ、かつ、異常電気抵抗、異常容量又は異常インダクタンスを除去して、欠陥製品を生じる誤検出を低減し、正常検査率を高めることができる。また、金属表面洗浄用の特殊洗浄具は、検査中に検出器の検出台上に形成されるほこりを速やかに除去することができるので、使用者は、ほこりを洗浄するための検出器又は検出装置の分解に要する時間が不要となり、検出器又は検出装置を停止させる期間をなくすことができる。
【図面の簡単な説明】
【０００６】
【図１Ａ】本考案の一実施例に係る金属表面洗浄用の特殊洗浄具の断面側面図である。
【図１Ｂ】本考案の別の実施例に係る金属表面洗浄用の特殊洗浄具の断面側面図である。
【図２Ａ】図１Ａに示す金属表面洗浄用の特殊洗浄具の分解斜視図である。
【図２Ｂ】本考案の別の実施例に係る金属表面洗浄用の特殊洗浄具の分解斜視図である。
【図３Ａ】図１Ａに示す金属表面洗浄用の特殊洗浄具の使用状態における断面側面図である。
【図３Ｂ】本考案の別の実施例に係る金属表面洗浄用の特殊洗浄具の使用状態における断面側面図である。
【図４Ａ】従来の特殊洗浄具の断面側面図である。
【図４Ｂ】従来の特殊洗浄具の使用中の断面側面図である。
【考案を実施するための形態】
【０００７】
図１Ａ及び図２Ａを参照して説明すると、本考案に係る金属表面洗浄用の特殊洗浄具１０は、表面部２０と、接着部３０と、支持部４０とを有する。接着部３０は、表面部２０と支持部４０の間に介設され、接着部３０は、表面部２０と支持部４０とを連結する。
【０００８】
表面部２０は、ポリエチレンテレフタレート膜上に形成される、樹脂と、研磨材と、発泡ポリエチレンとの混合物からなる。支持部４０は、金属、プラスチック、あるいは陶器からなる。図３Ａを参照して説明すると、好適な実施例では、特殊洗浄具１０の寸法は、特殊洗浄具１０に連結される担持体４０’の寸法に対応した寸法に裁断される。
【０００９】
図１Ｂと図２Ｂを参照して説明すると、好適な実施例では、本考案に係る金属表面洗浄用の特殊洗浄具１０は、さらに、特殊洗浄具１０の支持部４０の中央部に配設される屈曲性を有する把持部４１を有する。図２Ａ、図３Ａ及び図３Ｂを参照して説明すると、特殊洗浄具１０は、検出器あるいは検出装置に取り付けられる。特に、被検出物は担持体４０’上に載置され、検出器の検査台６０上に設けた金属検出器によって検査される。所定量の被検出物を検査されると、検出器の検査台６０上にほこり７０が形成され、金属検出器に接続される被検出物の表面に、異常電気抵抗、異常容量又は異常インダクタンスを生じる。異常電気抵抗、異常容量又は異常インダクタンスは、検査の質に悪影響を与え、誤検出を生じ、その結果、欠陥製品を生じることになる。従って、そのような誤検出を避けるため、再度検査を行う必要がある。本考案に係る金属表面洗浄用の特殊洗浄具１０において、特殊洗浄具１０は、被検出物が載置されている担持体４０’の底部に接着部３０で連結される。特殊洗浄具１０に検出器の検査台６０上を通過させ、金属検出器によって検査を行う際、特殊洗浄具１０は、ほこり７０を除去することができ、更に、異常電気抵抗、異常容量又は異常インダクタンスを除去して、欠陥製品を生じる誤検出を低減し、正常検査率を高めることができる。
【図１Ａ】
0003203131.tif 000003
【図１Ｂ】
0003203131.tif 000004
【図２Ａ】
0003203131.tif 000005
【図２Ｂ】
0003203131.tif 000006
【図３Ａ】
0003203131.tif 000007
【図３Ｂ】
0003203131.tif 000008
【図４Ａ】
0003203131.tif 000009
【図４Ｂ】
0003203131.tif 000010
【手続補正書】
【提出日】平成28年1月12日(2016.1.12)
【手続補正１】
【補正対象書類名】実用新案登録請求の範囲
【補正対象項目名】請求項４
【補正方法】変更
【補正の内容】
【請求項４】
前記特殊洗浄具の寸法は、前記特殊洗浄具に連結される担持体の寸法に対応した寸法に裁断されることを特徴とする、請求項１に記載の金属表面洗浄用の特殊洗浄具。